(57)【要約】【課題】防刃胴衣は、金属製の材料を使用しているために、刃物等による攻撃から身体を防護することはできるものの、衝撃を受けた際に身体に負担が大きい等の問題があり、とりわけ、強い衝撃を受けた場合には、これを緩和することはできても骨等の損傷の恐れを回避できなかったが、これを解消するためのアンダーウエアを提供し、金属材料を使用したこの種の防護胴衣の機能をより効果的に向上させる。【解決手段】人体の上半身に着用される保護胴衣において、前記胴衣は、少なくとも人体の胸部から腹部へ亘って被覆する大きさを有した基布と、該基布内に装着された膨脹気室を備えると共に、前記基布には前記膨脹気室へエアを導入した際に拡張して展開する折込部が形成され、膨脹気室の最大拡張時において変形した基布が人体の形状にフィットして被覆する。【選択図】図１
2008163533.tif 000002
【特許請求の範囲】
【請求項１】
人体の上半身に着用される保護胴衣において、前記胴衣は、少なくとも人体の胸部から腹部へ亘って被覆する大きさを有した基布と、該基布内に装着された膨脹気室を備えると共に、前記基布には前記膨脹気室へエアを導入した際に拡張して展開する折込部が形成され、膨脹気室の最大拡張時において変形した基布が人体の形状にフィットして被覆することを特徴とする保護胴衣。
【請求項２】
前記折込部が胴衣の縦方向に沿って設けられ、前記膨脹気室へエアを導入した際に横方向に拡張して展開することを特徴とする請求項１に記載の保護胴衣。
【請求項３】
前記折込部が胴衣の横方向に沿って設けられ、前記膨脹気室へエアを導入した際に縦方向に拡張して展開することを特徴とする請求項１に記載の保護胴衣。
【請求項４】
前記折込部の少なくとも一部が略Ｓ字状に形成されていて、膨脹気室にエアが導入されていない状態では扁平状態に係止されていることを特徴とする請求項１乃至請求項３のいずれか１項に記載の保護胴衣。
【請求項５】
前記保護胴衣が防刃胴衣のアンダーウエアとして着用されることを特徴とする請求項１乃至請求項４のいずれか１項に記載の保護胴衣
【請求項６】
前記保護胴衣には通気孔が形成されていることを特徴とする請求項１乃至請求項５のいずれか１項に記載の保護胴衣
【発明の詳細な説明】
【技術分野】
【０００１】本発明は、主に防刃胴衣のアンダーウエアとして使用される保護胴衣に関する。
【背景技術】
【０００２】従来より、要人の警備、凶悪事件の現場等で仕事に携わる警察官等が着用して自己の身を護るために用いる防護衣が開発され使用されている。【０００３】この種の防弾、防刃胴衣は、例えば、金属板を内部に備え、ピストル等の銃弾から身を護ることができる。特開平７−２５３２９７号公報で示されている防護衣では、更に、鋭利な先端を有する刃物又は、アイスピックの様な鋭利なもので突かれても、刃物の先端は金属板の表面を滑って、金属板と金属板の間より挿通して直接身体へ徹し刺される場合を考慮して、腹部に当接部位の下辺部へフエルト状の特殊不織布へ特殊鋼の線材を鎖状に連環した金属ネット体を設けている。
【特許文献１】特開平７−２５３２９７号公報
【発明が解決しようとする課題】
【０００４】ところで、この種の防刃胴衣は、金属製の材料を使用しているために、刃物等による攻撃から身体を防護することはできるものの、衝撃を受けた際に身体に負担が大きい等の問題があり、とりわけ、強い衝撃を受けた場合には、これを緩和することはできても骨等の損傷の恐れを回避できなかった。
【０００５】本発明は、従来のこの種の胴衣の問題を解消するためのアンダーウエアを提供するものであり、金属材料を使用したこの種の防護胴衣の機能をより効果的に向上させることを目的とする。
【課題を解決するための手段】
【０００６】上記の目的を達成するために、本発明の請求項１に記載の保護胴衣は、人体の上半身に着用される保護胴衣において、前記胴衣は、少なくとも人体の胸部から腹部へ亘って被覆する大きさを有した基布と、該基布内に装着された膨脹気室を備えると共に、前記基布には前記膨脹気室へエアを導入した際に拡張して展開する折込部が形成され、膨脹気室の最大拡張時において変形した基布が人体の形状にフィットして被覆することを特徴とする。
【０００７】本発明の請求項２に記載の保護胴衣は、前記折込部が胴衣の縦方向に沿って設けられ、前記膨脹気室へエアを導入した際に横方向に拡張して展開することを特徴とする。
【０００８】本発明の請求項３に記載の保護胴衣は、前記折込部が胴衣の横方向に沿って設けられ、前記膨脹気室へエアを導入した際に縦方向に拡張して展開することを特徴とする。
【０００９】本発明の請求項４に記載の保護胴衣は、前記折込部が略Ｓ字状に形成されていて、膨脹気室にエアが導入されていない状態では扁平状態に係止されていることを特徴とする。
【００１０】本発明の請求項５に記載の保護胴衣は、前記保護胴衣が防刃胴衣のアンダーウエアとして着用されることを特徴とする。
【実施例】
【００１１】以下、図１乃至図１０を参照して、本発明の保護胴衣の基本的な構成および、その機能・使用方法について詳説する。【００１２】図１は、本発明に係わる保護胴衣の展開状態の正面図であり、図２は、本発明に係わる保護胴衣の当初の着用状態の正面図であり、図３は、本発明に係わる保護胴衣の展開状態の背面図であり、図４は、本発明に係わる保護胴衣の当初の着用状態の背面図であり、図５は、本発明に係わる保護胴衣の展開状態の概要断面図であり、図６は、本発明に係わる保護胴衣の当初の着用状態の概要断面図であり、図７は、本発明に係わる保護胴衣の他の実施例を示す当初の着用状態の正面図であり、図８は、本発明に係わる保護胴衣の使用状態の説明図であり、図９は、本発明に係わる保護胴衣の当初の着用状態の他の実施例の概要断面図であり、図１０は、本発明に係わる保護胴衣の他の実施例の正面図である。【００１３】先ず、本発明に係わる保護胴衣Ｙは、主として人体の上半身に着用されるアンダーウエアとしての保護胴衣Ｙであり、図８に図示の通り、好ましくは防刃胴衣Ｚと共に使用される。図示の例では、防刃胴衣Ｚの概念のみを示したが、本発明の保護胴衣Ｙが膨脹した場合に、同形状にフットする防刃胴衣Ｚと共に使用されるものである。【００１４】本発明の保護胴衣Ｙは、図５及び図６に図示の通り、保護胴衣Ｙは、少なくとも人体の胸部から腹部へ亘って被覆する大きさを有した基布Ｙａと、該基布Ｙａ内に装着された膨脹気室６を備えている。【００１５】この基布Ｙａは、少なくとも二枚の布地を縫製することで、内部にチューブ状の膨脹気室６を挿通させることを可能としている。【００１６】前記膨脹気室６は、基布Ｙａ内において連続したエア通路を形成するものであり、一端にこの気室６内に連通させたレンフレータ３を取付けている。【００１７】前記基布Ｙａより構成された保護胴衣Ｙは、図１乃至図４に図示の如く、膨脹気室６へエアを導入した際に拡張して展開する折込部５が形成される。これは、図１の展開状態の正面図において、身体のサイズよりやや大きめ、より詳細には、幅方向に大きめに形成されることで実現する。【００１８】本発明の第１の実施例では、この様な形状としたものへ折込部５を形成し、図２に示す如く、これを折り込んで係止部５ａにより係止するとこで、保護胴衣Ｙの当初の着用状態では、身体にフットし、且つ、図８に概念を示した防刃胴衣Ｚと重なる同程度の大きさとなるよう構成する。より詳細には、折込部５の少なくとも一部が略Ｓ字状に形成されていて、膨脹気室６にエアが導入されていない状態では扁平状態に係止されている。【００１９】尚、前記折込部５は、図９の実施例の様に、Ω状に設けることが可能である。【００２０】本発明の保護胴衣Ｙは、当初は、図２の状態で着用する。そして、必要に応じて、前記インフレータ３を作動させると、膨脹気室６内にエアが圧送されて膨脹する。その際、膨脹気室６は、円筒状に膨脹するため、基布Ｙａもそれに伴って厚み方向に引っ張られ、その結果、保護胴衣Ｙは、身体の幅方向が短くなるように変形する。【００２１】一方、折込部５周辺の膨脹気室６も円筒状に膨脹するため、折込部５の係止部５ａが圧力によって離脱し、図１の状態に展開���る。これに伴い、保護胴衣Ｙは、膨脹気室６の最大拡張時において変形した基布Ｙａが人体の形状にフィットして被覆することになる。【００２２】尚、図１乃至図４の例では、前記折込部５が胴衣Ｙの縦方向に沿って設けられ、前記膨脹気室６へエアを導入した際に横方向に拡張して展開するよう構成したが、図７に図示の如く、前記折込部５を胴衣Ｙの横方向に沿って設け、前記膨脹気室６へエアを導入した際に縦方向に拡張して展開させることも可能である。【００２３】本発明の防護胴衣Ｙは、アンダーウエアとして快適に使用できるよう、図１０に図示の如く、表面と裏面を熱的に貫通する通気孔７を設けると良い。
【発明の効果】
【００２４】  本発明の保護胴衣は、前述の如く構成したので、これを防刃胴衣のアンダーウエアとして着用することにより、インフレータを作動させてエアを素早く導入させて、緩衝材として機能させることができるので、外部から衝撃が加えられた場合には、防刃胴衣から直接的に身体に衝撃伝えることなく、効果的に緩衝させることが可能である。また、この際、エア層が存在するために、例えば、鋭利な刃物等の先端部分が防刃胴衣を貫通した場合でも、身体へ伝わることを防止する役割を果たすことも可能である。尚、本発明の防護胴衣には通気孔を形成したことにより、着心地もよく違和感無く装着ができる。
【図面の簡単な説明】
【００２５】
【図１】本発明に係わる保護胴衣の展開状態の正面図である。
【図２】本発明に係わる保護胴衣の当初の着用状態の正面図である。
【図３】本発明に係わる保護胴衣の展開状態の背面図である。
【図４】本発明に係わる保護胴衣の当初の着用状態の背面図である。
【図５】本発明に係わる保護胴衣の展開状態の概要断面図である。
【図６】本発明に係わる保護胴衣の当初の着用状態の概要断面図である。
【図７】本発明に係わる保護胴衣の他の実施例を示す当初の着用状態の正面図である。、
【図８】本発明に係わる保護胴衣の使用状態の説明図である。
【図９】本発明に係わる保護胴衣の当初の着用状態の他の実施例の概要断面図である。
【図１０】本発明に係わる保護胴衣の他の実施例の正面図である。
【符号の説明】
【００２６】Ｙ    保護胴衣
Ｙａ  基布
Ｚ    防刃胴衣
１    膨脹気室収納部
２    ベルト
３    インフレータ
４    弁
５    折込部
５ａ  係止部
６    膨脹気室
７    通気孔
【図１】
2008163533.tif 000003
【図２】
2008163533.tif 000004
【図３】
2008163533.tif 000005
【図４】
2008163533.tif 000006
【図５】
2008163533.tif 000007
【図６】
2008163533.tif 000008
【図７】
2008163533.tif 000009
【図８】
2008163533.tif 000010
【図９】
2008163533.tif 000011
【図１０】
2008163533.tif 000012